(57)【要約】リュックサックを背負う位置を調整する装置は、リュックサック背面部（１）で構成され、その上に携帯用ハーネス（３）が配置されており、互いに独立し、リュックサック背面部の位置を携帯用ハーネスに対して調整できるようにする遠隔手動制御部の助けで確立される、位置を制御し調整する２つの手段（Ｍ１−Ｍ２）を備え、第１の手段は、リュックサック背面部をハーネスに対して上昇させることができ、第２の手段は、リュックサック背面部をハーネスに対して下降させることができ、前記リュックサックを背負う人に対してリュックサック背面部の寸法を調整することができ、歩行中に支える部位を変更して、可能性のある障害を全て低減することができることを特徴とする。
2005532844.tif 000002
【特許請求の範囲】
【請求項１】
その上に携帯用ハーネスが配置されたリュックサック背面部を備えるタイプのリュックサックの背負う位置を調整する装置であって、互いに独立し、前記リュックサック背面部の位置を前記携帯用ハーネスに対して調整できるようにする遠隔手動制御部の助けで確立される、２つの位置調整および制御手段（Ｍ１−Ｍ２）を備え、前記リュックサック背面部の寸法を使用者の背中に適応させ、歩行中に支える部位を変更して、可能性のある障害を全て制限かつ低減するために、前記第１の手段（Ｍ１）は、前記リュックサック背面部を前記ハーネスに対して上昇させることができ、前記第２の手段（Ｍ２）は、前記リュックサック背面部を前記ハーネスに対して下降させることができ、前記リュックサック背面部が、その中央の長手方向の平面内に配置された循環ベルト（９）を収容するように構成され、前記ベルトがストランドによって前記携帯用ハーネスに固定され、前記位置調整および制御手段（Ｍ１−Ｍ２）のいずれか、またはその両方によって、前記リュックサック背面部を前記ハーネスに対して相対的に変位させることができるようにし、前記第２の制御手段（Ｍ２）によって作動される係止機構（１５）が、前記循環ベルト（９）に作用し、前記循環ベルト（９）が所望の変位の位相に応じて位置的に不動化し、または解放することができるようにすることを特徴とする装置。
【請求項２】
前記第１の調整手段（Ｍ１）が、非弾性引張ケーブル（５）を備え、前記引張ケーブル（５）の第１の端部（５ａ）は前記リュックサック背面部の底部に位置し、グラブリングまたはループ（５ｃ）を有する他方の端部（５ｂ）は前記リュックサック背面部の反対側にあり、前記固定端部（５ｂ）は、実際は前記リュックサック背面部の底部に同様に位置するが、前記第１の端部の反対側にあり、屈折手段（６）が、前記携帯用ハーネスの中央底部に固定して配置され、前記ケーブルが前記屈折手段（６）を通過し、その周囲で移動できるようになされていることを特徴とする、請求項１に記載の装置。
【請求項３】
前記ケーブルが垂れ下がるのを防ぐために、らせん状の構成を形成するように、ケーブルの部分間に配置された１つまたは複数の弾性引張りストランド（８）を使用してケーブルを保持するように対処されていることを特徴とする、請求項２に記載の装置。
【請求項４】
前記循環ベルト（９）は引張されて保持されるが、前記リュックサック背面部の頂部に固定して配置された第１の屈折手段（１０）に対して、かつ前記リュックサック背面部の底部に固定して配置された第２の屈折手段（１１）に対して、自由にその周りを移動し配置されることを特徴とする、請求項１に記載の装置。
【請求項５】
前記下部の第２の屈折手段（１１）は、前記リュックサック背面部の前記底部に直接、または中間の位置に配置することができ、Ｖ字形に構成され、前記リュックサック背面部の底部（１２ａ）で締結された２つの連結および保持結合部（１２）を締結することができる構成を持つことを特徴とする、請求項４に記載の装置。
【請求項６】
前記第２の手段（Ｍ２）が、引張ケーブル（７ａ）からなる第２の制御手段（７）を備えており、このケーブルは、ケーブルの下端（７ｂ）で、第２のプルリング（１４）と関連し、ケーブルの上端（７ｃ）で機構（１５）と関連して前記ベルト（９）を位置的に係止し、不動化させる点で注目すべきであることを特徴とする、請求項１に記載の装置。
【請求項７】
前記第２の制御ケーブル（７）が、係止機構（１５）と関連し、前記係止機構（１５）は、前記ベルトに作用して、ある条件下で、前記ベルトの変位を可能にし、または阻止することができることを特徴とする、請求項６に記載の装置。
【請求項８】
前記ベルト用前記上部の第１の屈折手段（１０）が、軸（１０ｂ）を介して前記ベルトストランド（９）が通過する軸（１０ｂ）を有し、前記軸の周囲に配置された環状要素（１５ｂ）を中央部分に有するレバー形成タング（１５ａ）を備えた、係止機構を構成する関節式不動化手段（１５）を受けるための追加の水平軸（１６）を収容するクレビスブロック部の形態で構成され、前記タングが前記環状要素の両側で延び、前記ベルトの対面する部分と接触状態になりその部分に対して押し付ける鋸歯形状部（１５ｃ）、および前記第２の制御ケーブルの端部に取り付けるための後部にある延長部（１５ｄ）を有し、ヘアピンばね型の戻し手段（１５ｅ）が前記環状要素上に取り付けられ、前記ベルトと常に連続した接触が存在するように前記タング部分を傾斜させる傾向を持つことを特徴とする、請求項７に記載の装置。
【請求項９】
前記リュックサック背面部が、Ｕ形の管状スケルトン（４）を備え、前記スケルトン（４）の長手方向の枝部が前記携帯用ハーネスを案内して変位させるための摺動レールを構成し、水平の上部連結部分が前記上部屈折手段を収容できるようになっており、前記上部屈折手段自体は、係止機構を収容し、前記ケーブル（７ａ）が前記管状の骨組の前記枝部の１つ内に入れられて、前記ケーブル（７ａ）が前記上部内に形成された開口部から出て、前記係止機構（１５）と接触するまで案内されることを特徴とする、請求項８に記載の装置。
【請求項１０】
前記上部屈折手段が、前記フランジ（１０ｄ）の間に、前記連結ベルト（９）を締結するための下部軸（１０ｂ）、および前記制御手段（Ｍ２）を構成するストラップ（１９）を屈折させるための上部軸（１０ｅ）を備えたクレビスブロック部の形態であり、前記軸（１０ｂ−１０ｅ）の間に、軸（１６）が配置され、前記軸（１６）の周囲に、弾性戻し手段の作用に対して傾斜するレバーの形態で設けられた前記係止機構（１５）が旋回可能に取り付けられ、前記レバーは、前記連結ベルト（９）の対面する壁と接触し、それを押し付ける鋸歯形状部（１５ｃ）、および前記機構が作動していない場合に、前記ストラップ（１９）をオフセットするための延長ストリップ（１５ｆ）を有するように方向付けられていることを特徴とする、請求項４に記載の装置。
【請求項１１】
前記ストラップ（１９）が、前記ハーネスおよび前記連結ベルトに固定された一端（１９ａ）、および前記引っ張りリング（１４）と関連する他方の端部（１９ｂ）有し、前記ストラップが前記係止機構（１５）の周りを通過し、前記リング（１４）に向かって戻る場合に、前記リュックサック背面部と前記連結ベルトの前記後部ストランドの間に配置されることを特徴とする、請求項１０に記載の装置。
【請求項１２】
前記連結ベルト（９）の前記下端が、留め金の形態の取付具（１７）の軸（１７ａ）周囲に取り付けられ、前記取付具が、第２の軸（１７b）を備え、前記第２の軸（１７ｂ）の周りを帯（１８）が包み、前記帯（１８）の下端（１８ａ）が前記リュックサック背面部上に締結されていることを特徴とする、請求項１０に記載の装置。
【請求項１３】
前記ヘアピンばね型の戻し手段（１５ｅ）が、前記軸（１６）上に取り付けられて、前記レバー（１５）を関節式に作動し、前記枝部（１５ｅ１）の前記軸が、前記第１の屈折手段（１０）によって形成された支承壁（１０ｆ）を支承し、前記他方の枝部（１５ｅ２）が前記延長部（１５ｆ）の後面を支承することを特徴とする、請求項１０に記載の装置。
【請求項１４】
前記ストラップ（１９）を屈折させるための前記軸（１０ｅ）が、前記ストラップ（１９）を前記循環ベルト（９）に対して斜めに方向付けることができるようにする凸状または円錐形の構成を有し、前記ストラップの幅が前記軸（１０ｅ）の形状に適合されることを特徴とする、請求項１０に記載の装置。
【請求項１５】
前記ストラップ（１９）は、前記ストラップ（１９）の端部ストランド（１９ｂ）が自由であって、前記手段（Ｍ２）の制御ハンドルに結合されている細くした端部（１９ｂ１）を有しており、前記ハンドルがエラストマー材料のグラブストリップ（２５）の形態に作成されていることを特徴とする、請求項１０に記載の装置。
【請求項１６】
前記ストラップ（１９）に、前記ストラップ（１９）の長さの一部を覆って、前記ストラップ（１９）が前記屈折手段（１０）を通過する前記第１の屈折手段（１０）の周囲の位置に、前記屈折手段（１０）上に設けられた基準指数（２３）に関連して前記リュックサック背面部および前記ハーネスの相対的位置を明確にする目盛り付きスケール（２２）が設けられていることを特徴とする、請求項１０に記載の装置。
【請求項１７】
前記屈折手段（１０）が、キャップ（２４）を収容して前記係止機構（１５）を保護することができ、前記キャップの前面が前記ストラップ（１９）およびその目盛り付きスケールに面する窓（２４ｂ）を有し、前記基準指数が前記キャップ上に設けられていることを特徴とする、請求項１６に記載の装置。
【発明の詳細な説明】
【技術分野】
【０００１】
本発明は、特にハイキングおよび山歩きで使用されるリュックサックの技術分野に関する。
【背景技術】
【０００２】
従来技術では、一般に、リュックサックには、使用者が腕を通す肩紐が装備されているが、その肩紐には、位置調整装置が設けられていない。ハイキングバッグによっては、使用者を楽にするために、使用者の肩の高さになるように位置付けられた２つのループが、バッグの前部から突き出ている。このループを使用者が両手で掴み、バッグを部分的に持ち上げ、それによって前記使用者の肩への負担を軽減することができる。
【０００３】
この構成にはすでに、使用者への快適性を向上させるいくつかの利点があるが、それは、特に多様な取組みが必要とされるある種のハイキングでは、まだ十分なものではない。
【０００４】
したがって、本出願人は、使用者がハイキングを開始する前に、リュックサック部を携帯用ハーネス部に対して位置付けすることができるように、ハイキング用リュックサックを構成することを提案した。この構成は、２つの目的に適うように意図されたものである。すなわち、
・個人のサイズに適応させること、および
・使用者に障害を与えないようにするため、歩行中に調整を変更して、リュックサックが使用者の身体の同じ部位で長時間、過大な力で支えられるのを防ぐことである。
【０００５】
この目的を達成するため、本出願人は、リュックサックの背面に携帯用ハーネスを収容することができ、この携帯用ハーネスが、たとえばフックおよびループ手段、はしご状ストラップ、または摺動式ストラップを備えたタイプの取付けシステムの助けで、手で位置を調整することができるようになされたリュックサックを開発した。したがって、この実施形態では、使用者は、ハイキングの前またはハイキング中に、リュックサックを降ろし、適切な方法でハーネスをリュックサックの背面に対して調整し締結しなければならない。
【０００６】
この手順は、特にリュックサックが満杯の場合は、実用的ではない。さらに、リュックサック上のハーネスの位置は、適切な方法で調整されているため、あらゆる状況で使用者への快適性を向上するという望ましい効果が依然として制限されている。さらに、適切な調整を行うことも、依然として骨の折れる操作である。
【０００７】
こうした理由から、調整ハーネスに対して調整可能なリュックサックの背面が装備されたこの種のリュックサックの使用には、制約があることがすぐに判明した。
【０００８】
従来技術では、リュックサック部のベルト手段に対する位置調整のためのシステムが開示されている。これは、特に、従来技術文献のものである。レールを形成する２つの垂直のストラップが、それに沿ってベルトが移動するように配置されている。この実施形態によれば、ある程度の快適性および位置調整が可能であるが、それはあまり実用的ではない方法でしか実行することができない（例えば、特許文献１参照）。
【特許文献１】欧州特許第４０５０３５号明細書
【０００９】
別の従来技術文献は、高さ調整可能なリュックサックの構成要素の位置を遠隔に制御する手段による別の解決法を示唆しているが、複雑な構成を用いている（例えば、特許文献２参照）。
【特許文献２】欧州特許第６２８２６５号明細書
【００１０】
また別の従来技術文献も、複雑な実施形態でリュックサックの高さ調整を示唆している（例えば、特許文献３参照）。
【特許文献３】独国特許第３８４３５９７号明細書
【００１１】
したがって、引用の従来技術の状況は、調整の信頼性、実施のコスト、工業生産性、および快適性の理由で、本出願人には満足できるものとは考えられない。
【発明の開示】
【発明が解決しようとする課題】
【００１２】
これらを鑑みて、本出願人は、リュックサックを背負ったまま使用者が調整するリュックサックの機能を可能にし、より良好な快適性を提供し、以前に行われていたように使用者がリュックサックを降ろす必要がない、即座の調整を提供する、より効果的でより迅速な解決法を発見するためにその研究を続けてきた。
【００１３】
本発明による他の達成すべき目的は、複雑な動作をせずに、簡単かつ信頼性がある方法で、使用者自身による正確な調整を最適化することである。
【００１４】
上記その他の目的は、後の説明から明らかになるであろう。
【課題を解決するための手段】
【００１５】
第１の特徴によれば、リュックサック背面部上に携帯用ハーネスが遠隔手動制御によって調整可能な方法で配置されたリュックサック背面部を備えるタイプのリュックサックの背負う位置を調整する装置は、互いに独立した関係で、リュックサック背面部の位置を携帯用ハーネスに対して調整できるようにする遠隔手動制御部の助けで確立される、２つの位置調整および制御手段を備え、リュックサック背面部の寸法を使用者の背中に適応させ、歩行中に支える身体部位を変更して、可能性のある障害を全て制限かつ低減するために、前記第１の手段は、リュックサック背面部をハーネスに対して上昇させることができ、前記第２の手段は、前記リュックサック背面部を前記ハーネスに対して下降させることができ、リュックサック背面部が、その中央の長手方向の平面内に配置された循環ベルトを収容するように構成され、前記ベルトがストランドによって携帯用ハーネスに固定され、位置調整および制御手段のいずれか、またはその両方によって、リュックサック背面部をハーネスに対して相対的に変位させることができるようにし、前記第２の制御手段によって作動される係止機構が、循環ベルトに作用し、循環ベルトが所望の変位の位相に応じて位置的に不動化し、または解放できるようにすることを特徴とする。
【００１６】
上記その他の特徴は、後の説明から、さらに明らかになるであろう。
【００１７】
本発明の主題を明らかにするために、図面の図で示した。
【００１８】
次に、本発明の主題をより明確にするため、図面の図で示した非限定的方法で説明する。
【発明を実施するための最良の形態】
【００１９】
具体的にはハイキング用のリュックサックを全体的に（Ｓ）で示す。このリュックサックは、リュックサック背面部（１）を備えており、その上に周知の方法で、リュックサックの体積を画定する包囲部（２）を形成する織物部分が締結されている。これは、伝統的な構成のものであり、任意の適した方法で実施することができる。このリュックサック背面部は、剛直な裏地材料または織物の裏地で被覆された熱成型された外皮の形態で構成される。このリュックサック背面部は、内部に管状の骨組または他の任意の補強インサートを有することもできる。
【００２０】
このリュックサック背面部は、周知の方法で、使用者側の面上に、リュックサックを携帯できるようにする肩紐（３ａ−３ｂ）が装備された携帯用ハーネス（３）を収容することができる。ハーネスのリュックサック背面部に対する調整可能な位置付けは、上記のように自明であり、摺動レール（４）に沿って行うことができ、レール（４）は、管状または他の方法で形状付けられ、リュックサック背面部に沿って配置されており、ハーネスは、前記摺動レールに沿った通路ループを有する。
【００２１】
本発明は、リュックサックを携帯用ハーネスに対して位置調整することができるようにする装置、およびこの機能を提供するためのリュックサック背面部／ハーネスアセンブリの構成を対象とする。したがって、前記調整は、リュックサック背面部の携帯用ハーネスに対する２つの変位の移動で行われ、携帯用ハーネスは、使用者に対して固定された位置に存在する。
【００２２】
したがって、本発明が解決すべき問題は、リュックサック背面部をハーネスに対して上昇または下降させる状況において、リュックサック背面部を携帯用ハーネスに対して相対的に変位させることができるようにし、このことが、迅速かつアクセス可能な方法で行われて、調整操作を容易にする構成を作り出すことであった。
【００２３】
本発明によれば、リュックサック背面部を携帯用ハーネスに対して調整するための装置は、操作者自身によって手動で行われる遠隔制御の助けにより確立される第１の調整手段（Ｍ１）を備える。この第１の手段は、リュックサック背面部をハーネスに対して上昇させることができる主な機能を有する。より詳細には、この手段は、非弾性引張ケーブル（５）を備えており、引張ケーブル（５）の第１の端部（５ａ）はリュックサック背面部の底部に位置し、他方の端部（５ｂ）はその反対側にあり、グラブリングまたはループ（５ｃ）を有する。この前記固定された端部（５ｂ）は、実際はリュックサック背面部の底部に同様に位置するが、第１の端部の反対側に位置する。屈折手段（６）は、携帯用ハーネスの中央の底部に固定して配置され、ケーブルが屈折手段（６）を通過してその周囲で移動できるようにしている。したがって、理解されるように、使用者がループを手で引っ張ることによって、ケーブルが引っ張られ、それによってリュックサック背面部の底部がハーネスの底部にさらに接近するように移動し、リュックサック背面部を上昇させる。制御リングは、有利には、使用者の腰の部位にあるリュックサック背面部の底部に位置し、使用者が難なく手でその制御を行うことができるようになされている。ケーブルが垂れ下がるのを阻止するため、らせん状の構成を形成するように、ケーブルの部分間に配置された１つまたは複数の弾性引張りストランド（８）（図９）によってケーブルが保持されるように対処されている。こうすると、前記ケーブルが常に定位置に保持され、不意に揺れ動くことがなく、それによって制御リングを定位置に保持することができる。使用者が、ケーブルに対して作用すると、それによって、リュックサック背面部を携帯用ハーネスに対して望みどおりに位置付けることができる。
【００２４】
本発明の装置は、同様に、リュックサック背面部をハーネスに対して下降させる手段（Ｍ２）を備え、それによって互いの位置が細かく調整される。
【００２５】
より詳細には、前記手段（Ｍ２）は全体的に見ると、一方を他方に対して最高に上昇した位置、または最低に下降した位置、あるいは中間の位置に変位させることができるようにする、ハーネスとリュックサック背面部の間の連結手段（９）、および所望の位置設定がきるようにする第２の制御手段（７）を備える。
【００２６】
連結手段（９）は、任意の適した材料で作成された循環ベルトの形態で製作することができ、このベルトは、リュックサック背面部の長手方向の中央軸内に位置する。このベルトは、引張して保持されているが、リュックサック背面部の頂部に固定して配置された第１の屈折手段（１０）に対して、かつリュックサック背面部の底部に固定して配置された第２の屈折手段（１１）に対して、自由にその周りを移動することができ、それらに関連して配置されている。より詳細には、非限定的な実施形態では、各屈折手段は、その周りをベルトのストランドが通過する軸（１０ｂ-１１ｂ）を備えたクレビスブロック部（１０ａ-１１ａ）を備える。上部屈折手段のクレビスブロック部（１０ａ）は、リュックサック背面部に任意の適した手段で締結される。下部の第２の屈折手段（１１）は、図３で示したように、リュックサック背面部の底部に直接、または中間の位置に配置することができる。この場合、およびリュックサック背面部の位置に締結部を有することができない場合、第２の屈折手段が、たとえば、Ｖ字形に配置され、（１２ａ）でリュックサック背面部の底部に締結された２つの連結および保持結合部（１２）を締結することができるように構成して対処される。
【００２７】
前記屈折手段（１０−１１）の他の実施形態では、これらは、たとえば長方形の構成の閉ループでもよく、その一部はリュックサック背面部に固定され、他方は循環ベルトの通過のために自由にしてある。図１０で示したように、骨組は、２つの長手方向の平行の枝部が摺動レールを形成し、水平の連結部がリュックサック背面部の頂部にある、Ｕ形の構成を持つことも考えられる。この場合、上部屈折手段は、この骨組の水平部分に締結される。前記水平の上側部分は、手段（Ｍ２）通過させるための開口部を有しており、このことを後に説明する。
【００２８】
循環ベルトは、リュックサック背面部の片側にだけ配置することができる。ただし、図４で示したように、有利には美的理由から、頂部をハーネス側に配置し、下部をリュックサック背面部の後側に配置して構成することができる。こうするには、リュックサック背面部は、ベルトが摺動し自由に通過できるようにする横方向のスロット（１ａ）を有する。さらに、前記循環ベルトは、そのストランドの１つによって、１つまたは複数の連結手段（１３）で携帯用ハーネスに固定される。したがって、理解されるように、ハーネスのリュックサック背面部に対する変位は、リュックサック背面部に対するハーネスの頂部および底部の外部部品によって規定される範囲で、前記循環ベルトと緊密に関連する。前記ハーネス／循環ベルト連結部は、任意の適した手段によって確立される。
【００２９】
本発明によれば、前記第２手段（Ｍ２）は、使用者による第２の制御手段（７）を備える。この目的で、この第２の制御手段は、任意の適した材料で作成された引張ケーブル（７）で構成され、このケーブルは、ケーブルの下端（７ａ）で、第２のプルリング（１４）と関連し、ケーブルの上端（７ｃ）で機構（１５）と関連して前述の循環ベルトを位置的に係止し、不動化させる点で注目すべきである。中間部分は、（７ａ）で示してある。
【００３０】
より典型的には、この引張ケーブルを被覆し、リュックサック背面部に沿った特定のコースに従わせることができる。図面の図３で示したように、引張ケーブルは、リュックサック背面部に沿って自由に配置することができ、たとえば、ハーネスに関連して、第１のケーブルをリュックサック背面部の底部では斜めの経路に沿って、次いで垂直に屈折させる手段によって案内することができる。変形形態では、図１０で示したように、リュックサック背面部に設けた管状の骨組（４）をうまく利用して、前記ケーブルをその中に導入し、その両端を、ベルト用に上部屈折手段（１０）の位置にあるリュックサック背面部の頂部に向けて、かつプルリング用にリュックサック背面部の底部に近接した位置に移動させることができる。
【００３１】
本発明の重要な構成によれば、前記第２の制御ケーブル（７）は、係止機構（１５）と関連しており、係止機構（１５）は、一定の条件下で、循環ベルトの変位を可能にし、または阻止するように前述の循環ベルトに作用することができる。
【００３２】
より詳細には、循環ベルト（９）のための上部第１の屈折手段（１０）を構成するクレビスブロック部は、前記クレビスブロック部のフランジ間に取り付けられた追加の水平の軸（１６）を収容し、係止機構を構成する関節式不動化手段（１５）を受け入れることができるように構成されている。係止機構（１５）は、前述の軸の周りに配置された環状要素（１５ｂ）をその中央部分に有するレバー形成タング（１５ａ）を備える。前記タングは、環状要素の両側に延び、ベルトの対面する部分と接触状態になりそれを押し付ける鋸歯形状部（１５ｃ）、および後部にある延長部（１５ｄ）を有しており、延長部（１５ｄ）は、第２の制御ケーブルの端部を取り付けることができるようになされている。ヘヤピンばね型の戻し手段（１５ｅ）は、前述の環状要素に取り付けられており、タング部を傾斜させて、常に連続して循環ベルトとの接触状態が存在するようにする傾向を持つ。
【００３３】
この第２の制御手段（Ｍ２）の実施は、以下のようにして行われる。使用者が関連するリング（１４）に作用すると、それによってケーブル（７）が引っ張られて、引き降ろされ、したがって係止レバー（１５）が持ち上げられ、循環ベルト（９）が解放される（図７）。リュックサック背面部の荷重の効果が、必要に応じて、使用者がもたらす引張と組み合わされることにより、リュックサック背面部、およびそれによってリュックサック部分が、携帯用ハーネスに対して下向きに変位する傾向を持つ。したがって、調整は、底部の位置でなされる必要があるが、それは使用者自身が決定する。
【００３４】
したがって、この係止機構により、制御手段（Ｍ１−Ｍ２）が作動されない場合は、ベルトを不動化することができる。手段（Ｍ１）を作動させると、リュックサック背面部を携帯用ハーネスに対して上昇させることができ、係止手段が自動的に上げられ、循環ベルトを下向きに進めることができる。手段（Ｍ２）を作動させると、係止機構が上げられ、リュックサック背面部をそれ自体の荷重によって下降させることができる。
【００３５】
図１１〜図１６は、リュックサックを背負う位置を調整するための装置の代替実施形態を示す。この実施形態では、上記の部品または構成要素は同じ参照番号で示してある。
【００３６】
この解決法によれば、リュックサック背面部を、したがってリュックサックをハーネスに対して下降させ、同時に同じ技術的概念を用いて、連結ベルト（９）を定位置に係止し、またはこれを解放する、制御手段（Ｍ２）を本質的に簡単にすることが求められている。
【００３７】
連結ベルト（９）は、前述のタイプの連結手段（１３）によってハーネスに固定されたままである。前記ベルトは、連結手段（１３）の下側部分で、留め金の形態の取付具（１７）の軸（１７ａ）の周囲に巻付けてあり、この取付具の第２の軸（１７ｂ）は、その周囲に巻付けた帯（１８）を有することができ、帯の下端（１８ａ）は、適した方法でリュックサック背面部上にその下側部分で締結されている。
【００３８】
循環ベルト（９）は、上記の上部屈折手段（１０）の軸（１０ｂ）上で強く引張された状態で保持され、上部屈折手段（１０）のフランジ（１０ｄ）の間に配置される。屈折手段（１０）は、追加の軸（１６）を備え、この軸（１６）上に係止機構（１５）が関節式に取り付けられている。屈折手段は、フランジ（１０ｄ）の間に上部軸（１０ｅ）を備えており、その機能を以下に記載する。軸（１６）上に旋回可能に取り付けられた係止機構は、循環ベルト（９）の対面する部分と接触状態になり、これを押し付けることができる鋸歯形状部（１５ｃ）を備えた構成になっている。より詳細に図１２で示すように、この実施形態では、係止機構（１５）は延長部（１５ｆ）を有し、延長部（１５ｆ）は、鋸歯形状部（１５ｃ）と共にＶ字形の角度を形成し、前記形状部（１５ｃ）の平面の外側の平面内にある。ヘヤピンばね型の戻しばね（１５ｅ）は、軸（１６）上に取り付けられ、その枝部（１５ｅ１）の１つは、屈折手段（１０）上に形成された支承壁（１０ｆ）を支承し、他方の枝部（１５ｅ２）は、延長部（１５ｆ）の後面を支承する。
【００３９】
したがって、本発明によれば、制御装置（Ｍ２）を実施するこの変形形態は、ストラップ（１９）を使用する際、ストラップ（１９）の一端（１９ａ）が、連結ベルト（９）がハーネスに締結された場所の領域で連結ベルト（９）に固定され、またはある変形形態では、同じ場所でハーネスに締結されるように構成される。図１１〜図１６で分かるように、前記ストラップ（１９）は、係止機構（１５）の周りを通過し、係止機構（１５）に対して、具体的には傾斜レバーの延長部（１５ｆ）に対して支承される。次いで、このストラップは、上部軸（１０ｅ）の周りを案内されて、次いで、リュックサック背面部と連結ベルト（９）の後部ストランドの間に案内される。したがって、ストラップの第２の端部（１９ｂ）は、前述のタイプの制御手段（Ｍ２）のリング（１４）と関連し、これに固定される。ストラップ（１９）の前記第２の端部（１９ｂ）は、たとえば図１３で示したように、適所で自由になっており、ユーザがあらゆる位置に引っ張ることができる。したがって、ストラップ（１９）がリュックサック背面部の底部に締結された１つまたは複数の帯によって案内されるように考案することもできる。
【００４０】
さらに、図１４は、連結ベルト（９）のストラップまたはストランドを屈折手段（１０）に向けて案内するためのクリップ（２０）の使用を示す。この実施形態では、第１の制御手段のケーブル（５）は、連結ループ（２１）によってハーネスに締結されている。
【００４１】
この実施形態では、ストラップは、リュックサック背面部に対して横方向に自由に傾斜し、ユーザがリュックサック背面部に対して最も実用的な方法で作動させることができる。
【００４２】
図１５および図１６を参照して、本発明の装置の使用方法を説明する。
【００４３】
図１５によれば、制御手段（Ｍ１）を作動させると、ケーブル（５）が移動され、それによってケーブルの端部（５ａ）が取り付けられたハーネスと関連する連結ベルト（９）が引張される。そのため、ベルト（９）が下向きに移動し、矢印（Ｆ１）で示したように旋回する係止機構（１５）の動作に反対に移動するために、リュックサック背面部が矢印（Ｆ２）で示したように持ち上げられるが、ハーネスはユーザの身体上の定位置に維持される。
【００４４】
図１６によれば、この作動はこの場合、制御手段（Ｍ２）で実行され、ストラップ（１９）が作動するようになる。引張力によって、ストラップが、レバー（１５）をその延長枝部（１５ｆ）に対する支承によって旋回させ、それによって連結ベルト（９）を解放する。そのため、リュックサック背面部が、矢印（Ｆ３）で示したように下向きに変位できるようになる。
【００４５】
図１７〜図２２は、リュックサックを背負う位置の調整における本発明の代替実施形態を示すものであるが、位置の確認および読取り手段も含んでおり、それによって、使用者が、使用状態に応じた最適のリュックサック背面部／ハーネスの相対位置を記憶できるようにする。
【００４６】
図１７〜図２２の表示では、上記の部品または構成要素は、同じ参照番号のままである。
【００４７】
この実施形態では、上部屈折手段（１０）は、ストラップ（１９）の通過および屈折を可能にする軸（１０ｅ）を有する。前記ストラップ（１９）を、循環連結ベルト（９）の平面の外側で斜めに方向付けることができるように、かつ使用者が引っ張ることができるように、軸（１０ｅ）は、凸状または円錐形の構成（１０ｅ１）を持つように形状付けられる。この凸状または円錐形の構成は、ストラップ（１９）の幅、およびストラップ（１９）の位置付けに与えられた方向付けの選択に応じたものである。その結果、図１７および図１８で示したように、ストラップ（１９）が摺動によって横方向に方向付けられ、斜めの位置を取るようにさせることができる。ストラップが、リュックサック背面部の右または左に向くように引っ張ることができる場合、前記軸（１０ｅ）は凸状構成を持ち、ストラップ（１９）の幅は軸（１０ｅ）の長さの半分よりも小さく、右または左に位置付けし摺動して、所望の方向に位置付けされる。ストラップ（１９）が片側だけに傾斜して方向付けられる場合、軸（１０ｅ）は、円錐形であって、ストラップを位置付けるための側部の方向に向いた傾斜を持つ。この場合、ストラップの幅は、比較的大きいものである。
【００４８】
さらに、図１７から分かるように、ストラップ（１９）の他方の端部（１９ａ）はハーネスおよび循環ベルトに固定されているが、ストラップ（１９）の自由端（１９ｂ）は、製織、網組、または他の方法で直接得られる細くした形状部（１９ｂ１）を示しており、たとえばエラストマー材料のグラブストリップ（２５）の形態に作成された手段（Ｍ２）の制御ハンドルに結合できるようになっている。この実施形態では、このように配置されたストラップ（１９）は、全体的制御手段（Ｍ２）を構成して、リュックサック背面部およびハーネスを相対的に位置付けする。
【００４９】
特定の構成によれば、ストラップ（１９）は、ストラップ（１９）が屈折手段（１０）を通過する屈折手段（１０）の周囲の概ねの位置で、ストラップ（１９）の長さの一部を覆うスケール（２２）を有し、このスケール（２２）は、予め設定したピッチで目盛りが付けられ、それによってリュックサック背面部のハーネスに対する相対的位置付けを明確にする。
【００５０】
この目盛り付きスケール（２２）は、使用者に見えるものであり、識別指数（２３）を前述の屈折手段（１０）上に設けて、基準ベースを確立することができる。
【００５１】
ただし、特定の実施形態では、上部屈折手段（１０）は、係止機構（１５）全体を保護するためのキャップ（２４）を受けるように構成されている。この保護キャップ（２４）は、屈折手段上に固定して、または関節式に取り付けられるものであり、任意の適した材料で製作することができる。キャップ（２４）は、その前面（２４ａ）上に垂直の窓（２４ｂ）を有し、窓（２４ｂ）は、ストラップ（１９）に面し、具体的にはストラップ（１９）の目盛り付きスケールに面している。この場合、このキャップは、基準指数（２３）を有する。したがって、使用者は、ストラップ（１９）の目盛り付き領域を完全に見ることができ、リュックサック背面部のハーネスに対する特定の位置に対応する適切な目盛りを記憶することができる。この構成は、調整を迅速に行うことができるため、さらに、リュックサックを様々な使用者が携帯する場合、または不適切な操作の結果、調整の変更を行わなければならない場合に実用的である。目盛り付きスケールは、英数字または他のタイプでもよい。
【００５２】
一般に、ストラップ（１９）を使用する解決法は、本発明のより適切な産業的実施のために実用的である。ただし、本発明は連結ベルトおよび連結ベルトを定位置に係止／係止解除する機構に関するものであるが、本発明の概念が適用される本発明の実施形態を全て使用することができる。
【００５３】
したがって、本発明によれば、使用者は、２つのリングに自由に作用することによって、リュックサック背面部の携帯用ハーネスに対する位置付けを、マイクロメートル単位で調整し最適化することができる。この調整は、ハイカーがリュックサックを背負う場合に、リュックサックを降ろさずに行われる。
【００５４】
本発明の実施における、取付けは容易に行われ、簡単である。提供した解決法は、使用者に改善された快適性を提供することができ、使用者はリュックサックの位置をどのような環境でも即座に調整することができる。リュックサック背面部のハーネスに対する位置の確認もユーザに快適性を提供するものである。
【００５５】
本発明の範囲から逸脱することなく、制御手段、すなわちリングを、使用者の脇腹に配置することもできる。これは、変更される制御手段を位置付けし、変位させるための唯一の回線である。
【００５６】
変形形態では、引張ケーブルを、ストラップ、フック、コードなどの形態で、同じ機能のために設けることができる。
【図面の簡単な説明】
【００５７】
【図１】リュックサックの携帯、および使用者の身体の一部上にある本発明を左側から示す概略図である。
【図２】リュックサックの携帯、および使用者の身体の一部上にある本発明を右側から示す概略図である。
【図３】第１の変形形態の、本発明によるリュックサック背面部／携帯用ハーネスアセンブリを示す正面図である。
【図４】図３の４−４線に沿って切り取った長手方向の断面図である。
【図５】図３の５−５線に沿って切り取った長手方向の断面図である。
【図６】図３の６−６線に沿って切り取った横方向の断面図である。
【図７】リュックサック背面部がハーネスに対して下降する変位を可能にする、係止手段の解放を示す、側面の部分断面図である。
【図８】リュックサック背面部の携帯用ハーネスに対するそれぞれの位置で、リュックサック背面部を示す正面図である。
【図９】リュックサック背面部の携帯用ハーネスに対するそれぞれの位置で、リュックサック背面部を示す正面図である。
【図１０】他の実施形態を示すリュックサック背面部を示す部分図である。
【図１１】第２の変形形態の、本発明のリュックサック背面部／携帯用ハーネスアセンブリを示す正面図である。
【図１２】図１１の１２−１２線に沿って切り取った長手方向の断面図である。
【図１３】第２の制御手段の実施形態の変形形態を示す、図１２の１３−１３線に沿った背面図である。
【図１４】装置の変形形態を示す、リュックサック背面部の背後を示す部分斜視図である。
【図１５】リュックサック背面部をハーネスに対して上昇させる第１の制御手段の作用を示す概略図である。
【図１６】図１１〜図１５の実施形態の第２の制御手段の作用を示す概略図である。
【図１７】リュックサック背面部／ハーネスアセンブリの他の実施形態および第２の位置調整制御手段を示す正面図である。
【図１８】上部屈折手段の構成を示す拡大部分図である。
【図１９】図１８の１９−１９線に沿って切り取った断面図である。
【図２０】図１８と同様であるが、上部屈折手段が保護用示度キャップによって保護されているところを示す部分図である。
【図２１】図２０の２１−２１線に沿って切り取った断面図である。
【図２２】ストラップの位置を確認して、ハーネスのリュックサック背面部に対する位置を調整するための保護キャップの使用を示す部分斜視図である。
【符号の説明】
【００５８】
１  リュックサック背面部
１ａ  スロット
２  包囲部
３  携帯用ハーネス
３ａ、３ｂ  肩紐
４  骨組、スケルトン
５  ケーブル
５ａ、５ｂ  ケーブルの端部
５ｃ  グラブリング
６  屈折手段
７  ケーブル
７ａ  ケーブルの下端
７ｃ  ケーブルの上端
８  ストランド
９  循環ベルト
１０  第１の屈折手段
１０ａ、１１ａ  クレビスブロック部
１０ｂ、１１ｂ  軸
１０ｄ  フランジ
１０ｅ  軸
１０ｅ１  凸面または円錐状の構成
１０ｆ  支承壁
１１  第２の屈折手段
１２  連結および保持結合部
１３  連結手段
１４  リング
１５  係止機構
１５ａ  レバー形成タング
１５ｂ  環状要素
１５ｃ  鋸歯形状部
１５ｄ、１５ｆ  延長部
１５ｅ  戻し手段
１５ｅ１、１５ｅ２  枝部
１６、１７ａ、１７ｂ  軸
１７  取付具
１８  帯
１８ａ  下端
１９  ストラップ
１９ａ、１９ｂ  ストラップの端部
１９ｂ１  細くした形状部
２０  クリップ
２１  ループ
２２  スケール
２３  指数
２４ａ  前面
２４ｂ  窓
２５  グラブストリップ
Ｍ１  第１の制御手段
Ｍ２  第２の制御手段
【図１】
2005532844.tif 000003
【図２】
2005532844.tif 000004
【図３】
2005532844.tif 000005
【図４】
2005532844.tif 000006
【図５】
2005532844.tif 000007
【図６】
2005532844.tif 000008
【図７】
2005532844.tif 000009
【図８】
2005532844.tif 000010
【図９】
2005532844.tif 000011
【図１０】
2005532844.tif 000012
【図１１】
2005532844.tif 000013
【図１２】
2005532844.tif 000014
【図１３】
2005532844.tif 000015
【図１４】
2005532844.tif 000016
【図１５】
2005532844.tif 000017
【図１６】
2005532844.tif 000018
【図１７】
2005532844.tif 000019
【図１８】
2005532844.tif 000020
【図１９】
2005532844.tif 000021
【図２０】
2005532844.tif 000022
【図２１】
2005532844.tif 000023
【図２２】
2005532844.tif 000024
【国際調査報告】
2005532844.tif 000025
2005532844.tif 000026
2005532844.tif 000027
2005532844.tif 000028